(57)【要約】【課題】輻輳を誘発することなく、特定の地域に在圏する通信端末に対して情報送信要求を配信し、通信端末で保持される情報を収集する。【解決手段】情報収集システム２に含まれる情報収集装置１００では、基地局特定情報に基づいて、端末情報と、容量情報が取得され、さらに、収集情報の種別を特定する収集情報種別に基づいて収集情報の情報量情報が取得される。さらに、端末情報と、情報量情報と、容量情報と、とに基づいて、基地局を介して通信を行う容量を超過しないタイミングが指定された送信タイミング情報が情報収集制御部１０２において生成され、当該送信タイミング情報が含まれる情報送信要求が通信端末６０に対して配信される。情報送信要求に対して基地局の配下に在圏する複数の通信端末が応答するタイミングを指定することで、配下の複数の端末による一斉返信を防ぐことができ、通信量の増大による輻輳の誘発が抑制される。【選択図】図３
2010118744.tif 000002
【特許請求の範囲】
【請求項１】
移動体通信網を介して、特定の基地局の配下に在圏する複数の通信端末において保持される情報である収集情報を収集する情報収集システムであって、
前記基地局を特定する情報である基地局特定情報と、前記収集情報の種別を特定する情報である収集情報種別と、を受信する情報受信手段と、
前記基地局特定情報に基づき、前記収集情報を収集する対象となる前記通信端末の数を表す情報を含む端末情報を取得する端末情報取得手段と、
前記収集情報種別に基づき、当該収集情報種別により特定される情報の情報量に係る情報量情報を取得する情報量取得手段と、
前記基地局特定情報に基づき、当該基地局を介して通信を行うことができる容量に係る情報である容量情報を取得する容量情報取得手段と、
前記端末情報と、前記情報量情報と、前記容量情報と、に基づいて、前記複数の通信端末が前記収集情報を送信するタイミングを指定する送信タイミング情報を生成する情報収集制御手段と、
当該送信タイミング情報と、前記収集情報種別と、を含む情報送信要求を作成する送信要求作成手段と、
前記情報送信要求を前記複数の通信端末に対して配信する送信要求配信手段と、
を備えることを特徴とする情報収集システム。
【請求項２】
前記情報受信手段は、前記収集情報を収集する通信端末の種別を特定する情報である端末種別をさらに取得し、
前記情報収集制御手段は、前記端末情報と、前記情報量情報と、前記容量情報と、前記端末種別と、に基づいて、前記送信タイミング情報を生成し、
前記送信要求作成手段は、前記送信タイミング情報と、前記端末種別と、前記収集情報種別と、を含む情報送信要求を作成する
ことを特徴とする請求項１記載の情報収集システム。
【請求項３】
前記情報収集制御手段は、
前記複数の通信端末が前記収集情報を前記情報収集システムへ一斉に送信した場合に、前記容量を超過する通信が発生するか否かを、前記端末情報と、前記情報量情報と、前記容量情報と、に基づいて判断し、
前記容量を超過すると判断した場合には、前記送信タイミング情報を生成し、前記容量を超過しないと判断した場合には、前記送信タイミング情報の生成を中止し、
前記送信要求作成手段は、前記情報収集制御手段が前記容量を超過しないと判断した場合には、前記情報送信要求から前記送信タイミング情報を排除する
ことを特徴とする請求項１又は２記載の情報収集システム。
【請求項４】
前記送信タイミング情報は、
前記複数の通信端末それぞれを特定する情報を用いて、前記複数の通信端末を複数のグループに区別し、当該グループ毎に異なるタイミングを指定する情報である
ことを特徴とする請求項１〜３のいずれか一項に記載の情報収集システム。
【請求項５】
前記送信タイミング情報は、
前記複数の通信端末が前記収集情報を送信するタイミングを任意の時間幅で指定する情報である
ことを特徴とする請求項１〜３のいずれか一項に記載の情報収集システム。
【請求項６】
基地局をさらに含んで構成され、
前記基地局は、
自局の配下に在圏する前記通信端末の数を示す端末数情報を保持し、前記端末数情報の送信を要求する前記端末情報取得手段からの端末数送信要求に応じて当該端末数情報を送信する端末数情報保持手段を備え、
前記端末情報取得手段は、前記基地局特定情報により特定される前記基地局に対して前記端末数送信要求を送信することにより、前記基地局から送信される当該端末数情報を前記端末情報として取得する
ことを特徴とする請求項１〜５のいずれか一項に記載の情報収集システム。
【請求項７】
前記基地局特定情報と、前記端末情報と、を対応付けて格納する端末情報格納装置と、
前記収集情報種別と、前記情報量情報と、を対応付けて格納する情報量情報格納装置と、
前記基地局特定情報と、前記容量情報と、を対応付けて格納する容量情報格納装置と、
を更に備え、
前記端末情報取得手段は、前記端末情報格納装置から前記端末情報を取得し、
前記情報量取得手段は、前記情報量情報格納装置から前記情報量情報を取得し、
前記容量情報取得手段は、前記容量情報格納装置から前記容量情報を取得する
ことを特徴とする請求項６記載の情報収集システム。
【請求項８】
移動体通信網を介して、特定の基地局の配下に在圏する複数の通信端末において保持される情報である収集情報を収集する情報収集装置と、前記基地局とを含んで構成される情報収集システムであって、
前記情報収集装置は、
前記基地局を特定する情報である基地局特定情報と、前記収集情報の種別を特定する情報である収集情報種別と、を受信する情報受信手段と、
前記収集情報種別に基づき、当該収集情報種別により特定される情報の情報量に係る情報量情報を取得する情報量取得手段と、
前記情報量情報と、前記収集情報種別と、を含む情報送信要求を作成する送信要求作成手段と、
前記情報送信要求を前記基地局に対して送信する送信要求送信手段と、
を備え、
前記基地局は、
前記情報収集装置から送信される前記情報送信要求を受信する送信要求受信手段と、
自局の配下に在圏する通信端末の数を示す端末数情報を保持する端末数情報保持手段と、
前記複数の通信端末が前記収集情報を前記情報収集装置へ一斉に送信した場合に、前記容量を超過する通信が発生するか否かを、前記情報送信要求に含まれる前記情報量情報と、前記端末数情報保持手段により保持される前記端末数情報と、に基づいて判断し、前記容量を超過すると判断した場合には、前記送信タイミング情報を生成し、前記容量を超過しないと判断した場合には、前記送信タイミング情報の生成を中止する送信タイミング情報生成手段と、
当該送信タイミング情報が添付された前記情報送信要求を前記複数の通信端末に対して配信する情報送信要求配信手段と、
を備えることを特徴とする情報収集システム。
【請求項９】
前記収集情報種別と、前記情報量情報と、を対応付けて格納する情報量情報格納装置と、
を更に備え、
前記情報量取得手段は、前記情報量情報格納装置から前記情報量情報を取得する
ことを特徴とする請求項８記載の情報収集システム。
【請求項１０】
情報収集システムから配信される情報送信要求に基づいて、当該通信端末において保持される収集情報を前記情報収集システムへ送信する通信端末であって、
前記情報収集システムから配信され、前記収集情報の種別を特定する情報である収集情報種別と、当該収集情報を送信するタイミングを指定する情報である送信タイミング情報と、が含まれる前記情報送信要求を受信する受信手段と、
前記収集情報種別により特定された情報を含む前記収集情報を作成する情報作成手段と、
前記送信タイミング情報に基づいて、前記収集情報を送信するタイミングを判断する送信タイミング判断手段と、
前記送信タイミング判断手段により判断されたタイミングで前記収集情報を前記情報収集システムに対して送信する情報送信手段と、
を備えることを特徴とする通信端末。
【請求項１１】
前記送信タイミング判断手段は、
前記送信タイミング情報において前記タイミングが任意の時間幅で記載されている場合に、当該時間幅の中で当該通信端末が前記収集情報を送信するタイミングを、当該通信端末から算出する乱数を用いて決定する
ことを特徴とする請求項１０記載の通信端末。
【請求項１２】
前記受信手段は、前記収集情報を収集する通信端末の種別を特定する情報である端末種別がさらに含まれる前記情報送信要求を受信し、
前記情報送信手段は、前記端末種別を参照して当該通信端末が前記収集情報を送信する必要があると判断される場合に、前記収集情報を前記情報収集システムに対して送信する
ことを特徴とする請求項１１記載の通信端末。
【請求項１３】
移動体通信網を介して、特定の基地局の配下に在圏する複数の通信端末において保持される収集情報を収集する情報収集システムによる情報収集方法であって、
前記情報収集システムの情報受信手段が、前記基地局を特定する情報である基地局特定情報と、前記収集情報の種別を特定する情報である収集情報種別と、を受信する情報受信ステップと、
前記情報収集システムの端末情報取得手段が、前記基地局特定情報に基づき、前記収集情報を収集する対象となる前記通信端末の数を表す情報を含む端末情報を取得する端末情報取得ステップと、
前記情報収集システムの情報量取得手段が、前記収集情報種別に基づき、当該収集情報種別により特定される情報の情報量に係る情報量情報を取得する情報量取得ステップと、
前記情報収集システムの容量情報取得手段が、前記基地局特定情報に基づき、当該基地局を介して通信を行うことができる容量に係る情報である容量情報を取得する容量情報取得ステップと、
前記情報収集システムの情報収集制御手段が、前記端末情報と、前記情報量情報と、前記容量情報と、に基づいて、前記複数の通信端末が前記収集情報を送信するタイミングを指定する送信タイミング情報を生成する情報収集制御ステップと、
前記情報収集システムの送信要求作成手段が、前記送信タイミング情報と、前記収集情報種別と、を含む情報送信要求を作成する送信要求作成ステップと、
前記情報収集システムの送信要求配信手段が、前記情報送信要求を前記複数の通信端末に対して配信する送信要求配信ステップと、
を備えることを特徴とする情報収集方法。
【発明の詳細な説明】
【技術分野】
【０００１】
本発明は、情報収集システム、通信端末、及び情報収集方法に関する。
【背景技術】
【０００２】
近年、ある特定の地域に在圏する通信端末に対して、通信事業者側の配信サーバから一斉にメッセージを配信することができる３ＧＰＰ標準のＣＢＳ（Cell Broadcast Service）技術（例えば、特許文献１参照）が規定されている。
【０００３】
このＣＢＳ技術を用いて、例えば気象業務法の改正により気象庁から配信されるようになった「発生した断層運動による地震動及び火山現象についての一般の利用に適合する予報及び警報」（いわゆる緊急地震速報、非特許文献１参照）や、自治体等が提供する緊急情報等を、当該情報に対して影響があると考えられる地域に在圏する通信端末に対して移動体通信網を介して一斉配信するサービスが通信事業者により提供されている（例えば、非特許文献２参照）。さらに通信事業者は、災害などが発生した場合にネットワークの輻輳により音声通話などが困難になることから、災害伝言板を設置し、被災地域の人と連絡が取れるにするサービスを行っている（例えば、非特許文献３参照）。
【特許文献１】特開２００７−３２３２０２号公報
【非特許文献１】緊急地震速報について、［online］、気象庁、［平成20年10月20日検索］、インターネット＜ＵＲＬ：http://www.seisvol.kishou.go.jp/eq/EEW/kaisetsu/index.html＞
【非特許文献２】緊急速報「エリアメール」、［online］、ＮＴＴドコモ、［平成20年10月20日検索］、インターネット＜ＵＲＬ：http://www.nttdocomo.co.jp/service/anshin/areamail/＞
【非特許文献３】iモード災害用伝言板サービス、［online］、ＮＴＴドコモ、［平成20年10月20日検索］、インターネット＜ＵＲＬ：http://www.nttdocomo.co.jp/info/disaster/＞
【発明の開示】
【発明が解決しようとする課題】
【０００４】
上記のＣＢＳ技術を用いて特定の地域に在圏する通信端末から通信端末が保持する情報を収集する技術が検討されている。具体的には、特定の地域に在圏する通信端末に対して情報の送信を要求する信号を配信サーバから一斉配信し、通信端末において、その信号の受信を契機として自端末が保持する情報を配信サーバに対して送信されることで、特定の地域に在圏する通信端末からの情報を配信サーバで収集する方法である。
【０００５】
しかしながら、上記のように、情報送信を要求する信号が通信端末に対して一斉配信され、特定の地域に在圏する全ての通信端末が当該信号に対して一斉に応答すると輻輳が発生することが懸念される。
【０００６】
本発明は上記を鑑みてなされたものであり、輻輳を誘発することなく、特定の地域に在圏する通信端末に対して情報送信要求を配信し、通信端末で保持される情報を収集することができる情報収集システム、通信端末、及び情報収集方法を提供することを目的とする。
【課題を解決するための手段】
【０００７】
上記目的を達成するため、本発明に係る情報収集装置は、移動体通信網を介して、特定の基地局の配下に在圏する複数の通信端末において保持される情報である収集情報を収集する情報収集システムであって、前記基地局を特定する情報である基地局特定情報と、前記収集情報の種別を特定する情報である収集情報種別とを受信する情報受信手段と、前記基地局特定情報に基づき、前記収集情報を収集する対象となる前記通信端末の数を表す情報を含む端末情報を取得する端末情報取得手段と、前記収集情報種別に基づき、当該収集情報種別により特定される情報の情報量に係る情報量情報を取得する情報量取得手段と、前記基地局特定情報に基づき、当該基地局を介して通信を行うことができる容量に係る情報である容量情報を取得する容量情報取得手段と、前記端末情報と、前記情報量情報と、前記容量情報と、に基づいて、前記複数の通信端末が前記収集情報を送信するタイミングを指定する送信タイミング情報を生成し、当該送信タイミング情報と、前記収集情報種別と、を含む情報送信要求を作成する送信要求作成手段と、前記情報送信要求を前記複数の通信端末に対して配信する送信要求配信手段と、を備えることを特徴とする。
【０００８】
また、本発明に係る情報収集システムによる情報収集方法は、移動体通信網を介して、特定の基地局の配下に在圏する複数の通信端末において保持される収集情報を収集する情報収集システムによる情報収集方法であって、前記情報収集システムの情報受信手段が、前記基地局を特定する情報である基地局特定情報と、前記収集情報の種別を特定する情報である収集情報種別とを受信する情報受信ステップと、前記情報収集システムの端末情報取得手段が、前記基地局特定情報に基づき、前記収集情報を収集する対象となる前記通信端末の数を表す情報を含む端末情報を取得する端末情報取得ステップと、前記情報収集システムの情報量取得手段が、前記収集情報種別に基づき、当該収集情報種別により特定される情報の情報量に係る情報量情報を取得する情報量取得ステップと、前記情報収集システムの容量情報取得手段が、前記基地局特定情報に基づき、当該基地局を介して通信を行うことができる容量に係る情報である容量情報を取得する容量情報取得ステップと、前記情報収集システムの情報収集制御手段が、前記端末情報と、前記情報量情報と、前記容量情報と、に基づいて、前記複数の通信端末が前記収集情報を送信するタイミングを指定する送信タイミング情報を生成する情報収集制御ステップと前記情報収集システムの送信要求作成手段が、前記送信タイミング情報と、前記収集情報種別と、を含む情報送信要求を作成する送信要求作成ステップと、前記情報収集システムの送信要求配信手段が、前記情報送信要求を前記複数の通信端末に対して配信する送信要求配信ステップと、を備えることを特徴とする。
【０００９】
上記の情報収集システム及び情報収集方法によれば、基地局特定情報に基づいて、端末情報と、容量情報が取得され、さらに、収集情報の種別を特定する収集情報種別に基づいて収集情報の情報量情報が取得される。さらに、この、端末情報と、情報量情報と、容量情報と、とに基づいて、基地局を介して通信を行う容量を超過しないタイミングが指定された送信タイミング情報を生成することができ、当該送信タイミング情報が含まれる情報送信要求が通信端末に対して配信される。このように、配信される情報送信要求に対して基地局の配下に在圏する複数の通信端末が応答するタイミングを指定することで、配下の複数の端末による一斉返信が妨げられ、通信量の増大による輻輳の誘発を抑制することができる。
【００１０】
ここで、前記情報受信手段は、前記収集情報を収集する通信端末の種別を特定する情報である端末種別をさらに取得し、前記情報収集制御手段は、前記端末情報と、前記情報量情報と、前記容量情報と、前記端末種別と、に基づいて、前記送信タイミング情報を生成し、前記送信要求作成手段は、前記送信タイミング情報と、前記端末種別と、前記収集情報種別と、を含む情報送信要求を作成する態様とすることができる。
【００１１】
上記のように、通信端末の種別を特定する端末種別を情報送信要求に含めて基地局の配下に在圏する通信端末に対して配信することで、基地局の配下に在圏する複数の通信端末のうち、特定の種別の通信端末のみからの応答を情報収集システムにおいて収集することができるため、より細かい条件に応じた情報収集を行うことができると共に、返信を希望としない通信端末からの返信を抑止することができるため、情報収集の際に発生する通信量を抑制することができる。
【００１２】
また、前記情報収集制御手段は、前記複数の通信端末が前記収集情報を前記情報収集システムへ一斉に送信した場合に、前記容量を超過する通信が発生するか否かを、前記端末情報と、前記情報量情報と、前記容量情報と、に基づいて判断し、前記容量を超過すると判断した場合には、前記送信タイミング情報を生成し、前記容量を超過しないと判断した場合には、前記送信タイミング情報の生成を中止し、前記送信要求作成手段は、前記情報収集制御手段が前記容量を超過しないと判断した場合には、前記情報送信要求から前記送信タイミング情報を排除する態様とすることもできる。
【００１３】
このように、基地局の配下の通信端末が収集情報を一斉に送信した場合に、容量を超過する通信が発生するか否かによって送信タイミング情報の作成の要否を判断することにより、情報収集制御手段によって行われる送信タイミング情報の作成に係る処理を低減することができると共に、複数の通信端末に対して配信する情報送信要求に含まれる情報量を低減させることができる。
【００１４】
ここで上記の輻輳の誘発を抑制して情報の収集を行うことができる情報収集システムにより作成される送信タイミング情報としては、具体的には、前記複数の通信端末それぞれを特定する情報を用いて、前記複数の通信端末を複数のグループに区別し、当該グループ毎に異なるタイミングを指定する情報とすることができる。また、前記複数の通信端末が前記収集情報を送信するタイミングを任意の時間幅で指定する情報とする態様をとることもできる。
【００１５】
また、上記目的は、情報収集システムが基地局をさらに含む構成である場合にも達成することもできる。すなわち、本発明に係る情報収集システムは、基地局をさらに含んで構成され、前記基地局は、自局の配下に在圏する前記通信端末の数を示す端末数情報を保持し、前記端末数情報の送信を要求する前記端末情報取得手段からの端末数送信要求に応じて当該端末数情報を送信する端末数情報保持手段を備え、前記端末情報取得手段は、前記基地局特定情報により特定される前記基地局に対して前記端末数送信要求を送信することにより、前記基地局から送信される当該端末数情報を前記端末情報として取得することを特徴とする。
【００１６】
上記のように、端末数取得手段が、基地局で保持される配下に在圏する通信端末の数を示す情報を端末数情報として取得することで、基地局との間で通信を行うことにより端末数情報を取得することができるため、効率的に端末数情報を取得することができる。
【００１７】
さらに、この情報収集システムは、前記基地局特定情報と、前記端末情報と、を対応付けて格納する端末情報格納装置と、前記収集情報種別と、前記情報量情報と、を対応付けて格納する情報量情報格納装置と、前記基地局特定情報と、前記容量情報と、を対応付けて格納する容量情報格納装置と、を更に備え、前記端末情報取得手段は、前記端末情報格納装置から前記端末情報を取得し、前記情報量取得手段は、前記情報量情報格納装置から前記情報量情報を取得し、前記容量情報取得手段は、前記容量情報格納装置から前記容量情報を取得する。このように、端末情報格納装置と、情報量情報格納装置と、容量情報格納装置と、を含んで構成されていてもよい。
【００１８】
また、上記目的を達成する情報収集システムとしての他の構成として、移動体通信網を介して、特定の基地局の配下に在圏する複数の通信端末において保持される情報である収集情報を収集する情報収集装置と、前記基地局とを含んで構成される情報収集システムであって、前記情報収集装置は、前記基地局を特定する情報である基地局特定情報と、前記収集情報の種別を特定する情報である収集情報種別とを受信する情報受信手段と、前記収集情報種別に基づき、当該収集情報種別により特定される情報の情報量に係る情報量情報を取得する情報量取得手段と、前記情報量情報と、前記収集情報種別と、を含む情報送信要求を作成する送信要求作成手段と、前記情報送信要求を前記基地局に対して送信する送信要求送信手段と、を備え、前記基地局は、前記情報収集装置から送信される前記情報送信要求を受信する送信要求受信手段と、自局の配下に在圏する通信端末の数を示す端末数情報を保持する端末数情報保持手段と、前記複数の通信端末が前記収集情報を前記情報収集装置へ一斉に送信した場合に、前記容量を超過する通信が発生するか否かを、前記情報送信要求に含まれる前記情報量情報と、前記端末数情報保持手段により保持される前記端末数情報と、に基づいて判断し、前記容量を超過すると判断した場合には、前記送信タイミング情報を生成し、前記容量を超過しないと判断した場合には、前記送信タイミング情報の生成を中止する送信タイミング情報生成手段と、当該送信タイミング情報が添付された前記情報送信要求を前記複数の通信端末に対して配信する情報送信要求配信手段と、を備える態様とすることもできる。
【００１９】
上記の態様とすることで、例えば、情報収集装置から複数の基地局に対して情報送信要求を配信する場合に、自局から配下の通信端末に対して配信する際に用いられる送信タイミング情報が各基地局において生成される。このため、送信タイミング情報の生成処理を情報収集装置が一台で行う場合に比べて、当該処理を複数の基地局が分散して並列的に行うことから、当該処理にかかる処理時間を短縮することができる。
【００２０】
さらに、この情報収集システムは、前記収集情報種別と、前記情報量情報と、を対応付けて格納する情報量情報格納装置と、を更に備え、前記情報量取得手段は、前記情報量情報格納装置から前記情報量情報を取得する。このように、情報量情報格納装置を含んで構成されていてもよい。
【００２１】
また、本発明に係る通信端末は、情報収集システムから配信される情報送信要求に基づいて、当該通信端末において保持される収集情報を前記情報収集システムへ送信する通信端末であって、前記情報収集システムから配信され、前記収集情報の種別を特定する情報である収集情報種別と、当該収集情報を送信するタイミングを指定する情報である送信タイミング情報と、が含まれる前記情報送信要求を受信する受信手段と、前記収集情報種別により特定された情報を含む前記収集情報を作成する情報作成手段と、前記送信タイミング情報に基づいて、前記収集情報を送信するタイミングを判断する送信タイミング判断手段と、前記送信タイミング判断手段により判断されたタイミングで前記収集情報を前記情報収集システムに対して送信する情報送信手段と、を備えることを特徴とする。
【００２２】
上記の通信端末によれば、情報収集システムより送信された送信タイミング情報に基づいて、通信端末から情報収集システムに対して送信するタイミングが決定され、当該タイミングに通信端末において保持される情報が収集情報として送信される。このように、情報収集システムにより定められた送信タイミング情報に従って収集情報の送信を行うことで、情報送信要求に基づき、通信端末から送信される情報を情報収集システムにおいて収集することができる。
【００２３】
ここで、前記送信タイミング判断手段は、前記送信タイミング情報において前記タイミングが任意の時間幅で記載されている場合に、当該時間幅の中で当該通信端末が前記収集情報を送信するタイミングを、当該通信端末から算出する乱数を用いて決定する態様としてもよい。
【００２４】
上記のように、送信タイミング情報が任意の時間幅で記載されている場合には、通信端末において算出される乱数を用いてタイミングを決定することで、時間幅内で通信端末が送信するタイミングが特定のタイミングに集中することを回避できるため、輻輳の発生を抑制することができる。
【００２５】
また、前記受信手段は、前記収集情報を収集する通信端末の種別を特定する情報である端末種別がさらに含まれる前記情報送信要求を受信し、前記情報送信手段は、前記端末種別を参照して当該通信端末が前記収集情報を送信する必要があると判断される場合に、前記収集情報を前記情報収集システムに対して送信する態様とすることもできる。
【００２６】
このように、端末種別に基づいて、情報収集システムに対して当該通信端末から収集情報を送信するか否かを当該通信端末において判断する態様とすることによって、情報収集システムにおいて情報収集対象とされていない通信端末からの送信情報の送信を抑止することができるため、情報収集の際に発生する通信量を抑制することができる。
【発明の効果】
【００２７】
本発明によれば、輻輳を誘発することなく、特定の地域に在圏する通信端末に対して情報送信要求を配信し、通信端末で保持される情報を収集することができる情報収集システム、通信端末、及び情報収集方法が提供される。
【発明を実施するための最良の形態】
【００２８】
以下、添付図面を参照して、本発明を実施するための最良の形態を詳細に説明する。なお、図面の説明においては同一要素には同一符号を付し、重複する説明を省略する。
【００２９】
＜第１実施形態＞
（第１実施形態に係る通信システムの構成）
図１〜図３を用いて、本発明の第１実施形態に係る情報収集システムを含む通信システムについて説明する。
【００３０】
図１は、通信システム１に含まれる情報収集システム２と、当該情報収集システム２により情報を収集する対象となる通信端末６０との関係を示す図である。図１に示すように、情報収集システム２から通信端末６０に対して、移動体通信網Ｎ１を介してＣＢＳ（Cell Broadcast Service）技術により情報収集要求信号Ｍ０１が送信される。これに対して、通信端末６０では、情報収集要求信号により情報の収集が要求され、通信端末６０に保持される情報を収集し、収集情報Ｍ０２として送信する。この収集情報が情報収集システム２により受信されることにより、情報収集システム２において情報が収集される。この移動体通信網Ｎ１は、通信端末６０がパケット通信を行うために通信事業者により提供されるネットワークである。なお、図１では、通信端末６０が１台しかないが、実際には、情報収集システム２による情報の収集の対象となる通信端末６０は、特定のエリアに在圏している複数の通信端末である。以下の実施形態の説明では、複数の通信端末のうち、特定の基地局の配下に在圏する１台の通信端末６０を例に用いて説明を行う。
【００３１】
ここで、情報収集システム２から通信端末６０に対して送信される情報収集要求信号Ｍ０１について説明する。情報収集要求信号Ｍ０１には、通信端末６０からの送信を要求する情報の種別を示す情報（収集情報種別）と、当該情報の送信タイミングを指定する送信タイミング情報と、情報の送信を要求する通信端末６０の種別を特定する情報（端末種別）が含まれる。このうち、収集情報種別とは、情報収集制御システム１０が収集しようとしている情報の種別を示す情報である。情報収集制御システム１０において収集される情報としては、例えば、通信端末６０の設定情報や、通信端末６０が保持するコンテンツ等の情報のほか、位置情報、湿度、温度等の通信端末６０に具備される各種センサ等から取得することができる情報等が挙げられる。また、送信タイミング情報とは、通信端末６０から情報収集システム２に対して上記の収集情報種別により指定された情報を送信するタイミングを指定する情報である。また、端末種別とは、情報の送信を要求する通信端末６０の種別を示す情報である。通信端末６０の種別としては、通信端末６０のメーカ種別、モデル種別、ワンセグやＷＬＡＮ（Wireless LAN）等の通信端末６０が保持する機能による種別等が挙げられる。この端末種別は必要に応じて情報送信要求信号Ｍ０１に含まれる情報であり、例えば、通信端末６０が有する特定の機能に関する情報を収集する場合には、情報送信要求信号Ｍ０１に通信端末６０の機能による種別を端末種別として含ませることによって、当該機能を有する通信端末６０からのみ情報を収集することができる。
【００３２】
また、通信端末６０から情報収集システム２に対して送信される収集情報Ｍ０２は、上記の情報収集要求信号Ｍ０１に含まれる収集情報種別に基づいて通信端末６０において収集された情報である。そして、この収集情報Ｍ０２は、情報収集要求信号Ｍ０１に含まれる送信タイミング情報により指定されたタイミングで、通信端末６０から情報収集システム２に対して送信される。その具体的な方法は後述する。
【００３３】
図２は、通信システム１に含まれる各装置の構成をより具体的に説明した図である。図２に示すように、通信システム１は、情報収集システム２に含まれる情報収集制御システム１０と、ＣＢＳ（Cell Broadcast Service）２０と、ＳＧＳＮ（Service General Pace radio service Support Node）３０と、ＲＮＣ（Radio NetworkController：無線ネットワーク制御装置）４０と、ＢＴＳ（Base Transceiver Station：無線基地局装置）５０と、を含んで構成される。これらの装置は通信事業者Ｎにより設けられ、これらの装置が後述のように機能することによって、移動体通信網Ｎ１が構成される。なお、図２に示すように、ＣＢＳ２０には複数のＳＧＳＮ３０が接続し、それぞれのＳＧＳＮ３０に対してＲＮＣ４０が接続する。さらに、それぞれのＲＮＣ４０には、複数のＢＴＳ５０が接続する。そして、通信端末６０は、上記の複数のＢＴＳ５０のうちの一つに接続することにより、移動体通信網Ｎ１を介した通信を行う機能を備える。
【００３４】
ここでＣＢＳ２０による情報の配信について説明する。このＣＢＳ２０による情報の配信とは、相手先の通信端末を指定して情報を送信するものではなく、特定の地域に在圏する複数の通信端末に対して情報を一斉に配信するものである。この情報の一斉配信は、例えば無線基地局装置であるＢＴＳ５０を一単位として行われる。すなわち、ＢＴＳ５０を指定することによって、当該ＢＴＳ５０が通信制御を行う特定の地域に在圏する通信端末に対して情報の一斉配信が行われる。このようにＣＢＳ２０による情報の一斉配信では、通信端末６０を特定せず、通信端末６０が在圏する地域のみを特定して情報の配信が行われるため、例えば、特定の地域において特に重要となる緊急地震速報の配信等に用いられる。
【００３５】
なお、通信端末６０とＢＴＳ５０との間は、移動体通信網Ｎ１を介して、無線通信により情報の交換が行われる。また、情報収集制御システム１０とＣＢＳ２０との間、ＣＢＳ２０とＳＧＳＮ３０との間、ＳＧＳＮ３０とＲＮＣ４０との間、及びＲＮＣ４０とＢＴＳ５０との間は、それぞれ有線のネットワークを介して接続される。
【００３６】
情報収集制御システム１０は、上述のように、通信端末６０に対して送信する情報収集要求信号を作成し、ＣＢＳ２０に送ることにより通信端末６０に対して一斉配信する機能を有する。図３は情報収集制御システム１０の構成を説明するブロック図である。図３に示すように、情報収集制御システム１０は、情報収集装置１００と、加入者情報管理サーバ（端末情報格納装置）２００と、情報量管理サーバ（情報量情報格納装置）３００と、容量情報管理サーバ（容量情報格納装置）４００と、を含んで構成される。情報収集装置１００は、通信事業者あるいは第三者等により作成された収集情報特定情報を受信し、この収集情報特定情報に基づいて、送信タイミング情報を生成して、当該収集情報特定情報及び送信タイミング情報を含む情報送信要求信号を作成する機能を有する。なお、この収集情報特定情報とは、情報を収集する対象となる通信端末６０と、当該通信端末６０から収集する情報とを特定する情報である。具体的には、収集情報特定情報には、情報収集の対象となる地域の通信制御を行うＢＴＳ５０を特定する基地局特定情報と、収集情報種別と、端末種別と、が含まれる。そして、加入者情報管理サーバ２００、情報量管理サーバ３００及び容量情報管理サーバ４００は、情報送信要求信号に含まれる送信タイミング情報を作成するために用いられる情報をそれぞれ格納するサーバである。
【００３７】
情報収集制御システム１０に含まれる情報収集装置１００、加入者情報管理サーバ２００、情報量管理サーバ３００及び容量情報管理サーバ４００と、ＣＢＳ２０と、ＳＧＳＮ３０と、ＲＮＣ４０と、ＢＴＳ５０とは、それぞれ、図４に示すように、ＣＰＵ１１、主記憶装置であるＲＡＭ（Random Access Memory）１２及びＲＯＭ（Read Only Memory）１３、通信を行うための通信モジュール１４、並びにハードディスク等の補助記憶装置１５等のハードウェアを備えるコンピュータとして構成される。そして、これらの構成要素が動作することにより、各装置の後述の機能が発揮される。また、情報収集装置１００と加入者情報管理サーバ２００との間、情報収集装置１００と情報量管理サーバ３００との間、情報収集装置１００と容量情報管理サーバ４００との間は、それぞれ有線のネットワークを介して接続される。
【００３８】
また、通信端末６０は、それぞれの通信端末の所有者（ユーザ）により用いられる通信端末である。具体的には、例えば、携帯電話、ＰＤＡ（Personal Digital Assistance）等の通信機能を有する装置として実現される。また、この通信端末は、図５に示すように、ＣＰＵ（Central Processing Unit）６１、ＲＡＭ６２、ＲＯＭ６３、操作部６４、無線通信部６５、ディスプレイ６６、及びアンテナ６７等のハードウェアにより構成される。そしてこれらの構成要素が動作することにより、通信端末６０の後述の機能が発揮される。
【００３９】
続いて、図３に戻り、情報収集制御システム１０を構成する各装置の機能について説明する。まず、情報収集制御システム１０に含まれる情報収集装置１００は、入力部（情報受信手段）１０１と、情報収集制御部（情報収集制御手段、送信要求作成手段）１０２と、端末情報取得部（端末情報取得手段）１０３と、情報量取得部（情報量取得手段）１０４と、送信要求配信部（送信要求配信手段）１０６と、収集情報取得部１０７と、を含んで構成される。なお、本実施形態では、上記各手段を有する情報収集装置１００について説明するが、上記の各手段は同一の装置に含まれる必要はない。例えば、端末情報取得部１０３は加入者情報管理サーバ２００と、情報量取得部１０４は情報量管理サーバ３００と、容量情報取得部１０５は容量情報管理サーバ４００と、それぞれ同じ場所にあってもよく、それは情報収集制御部１０２と離れた場所であってもよい。
【００４０】
入力部１０１は、基地局特定情報と、収集情報種別と、端末種別と、を含む収集情報特定情報を受信する情報受信手段として機能する。これらの情報は、情報収集制御システム１０を管理する通信事業者のほか、通信端末６０に対してコンテンツを提供するコンテンツ提供者等により例えば情報収集装置１００を操作することにより提供され、入力部１０１において受信される。入力部１０１において受信された上記の情報は情報収集制御部１０２へ送られる。
【００４１】
情報収集制御部１０２は、入力部１０１から送られた基地局特定情報と、収集情報種別と、端末種別と、を用いて後述の端末情報取得部１０３、情報量取得部１０４、及び容量情報取得部１０５に対して情報の取得を指示する機能を有する。そして、端末情報取得部１０３、情報量取得部１０４、及び容量情報取得部１０５により取得された情報に基づいて送信タイミング情報を生成する情報収集制御手段として機能する。そして、この情報収集制御部１０２は、当該送信タイミング情報と、収集情報種別と、端末種別とを含む情報送信要求信号を作成する送信要求作成手段としても機能する。
【００４２】
具体的には、まず、端末情報取得部１０３に対しては、情報収集制御部１０２から基地局特定情報が送られ、基地局特定情報により特定された基地局装置（ＢＴＳ５０）の配下に在圏する通信端末に係る端末情報の取得が指示される。この端末情報には、特定のＢＴＳ５０の配下に在圏する通信端末の数を表す情報や、在圏する通信端末の契約情報等が含まれる。端末情報取得部１０３では、情報収集制御部１０２の指示にしたがって加入者情報管理サーバ２００に対して問い合わせることにより、端末情報が取得される。すなわち、端末情報取得部１０３は端末情報取得手段として機能する。
【００４３】
端末情報取得部１０３により問い合わせが行われる加入者情報管理サーバ２００とは、移動体通信網Ｎ１に接続して通信を行う通信端末に係る情報を保持するＨＬＲ（Home Location Register）として機能する装置である。加入者情報管理サーバ２００において保持される情報は、例えば、通信端末６０が接続するＢＴＳ５０を変更した際に行われる位置登録処理等に基づいて更新される。加入者情報管理サーバ２００では、端末情報取得部１０３から送信される基地局特定情報に基づいて、自サーバで保持する情報を参照し、基地局特定情報により特定されるＢＴＳ５０の配下に在圏する端末数及び当該端末の契約者に係る情報や通信端末に係る情報等が含まれる端末情報が端末情報取得部１０３に対して送信される。た、加入者情報管理サーバ２００から送信された端末情報は、端末情報取得部１０３において取得され、情報収集制御部１０２に対して送られる。
【００４４】
次に、情報量取得部１０４について説明する。情報量取得部１０４に対しては、情報収集制御部１０２から収集情報種別が送られ、収集情報種別に対応する情報量の取得が指示される。情報量取得部１０４では、この収集情報種別に基づいて情報量管理サーバ３００に対して情報量の問い合わせを行うことにより、情報量管理サーバ３００から送信される情報量が取得される。すなわち情報量取得部１０４は、情報量取得手段として機能する。
【００４５】
情報量取得部１０４により問い合わせが行われる情報量管理サーバ３００は、収集情報種別により指定される情報を通信端末６０から取得する際に発生する情報量を保持する装置である。例えば、収集情報種別が「位置情報」である場合には、通信端末６０から取得する情報として緯度・経度情報が用いられる。情報量管理サーバ３００は、通信端末６０から緯度・経度情報を取得する場合に、通信端末６０から送信される情報量を収集情報種別と対応付けて保持する機能を有する。この情報量管理サーバ３００に保持される情報は、通信端末６０から収集すると考えられる情報に対する情報量情報があらかじめ通信事業者等により入力されることにより情報量管理サーバ３００に格納される。情報量管理サーバ３００では、情報量取得部１０４から送信される収集情報種別に基づいて、当該収集情報種別により特定される情報を通信端末６０から取得した場合の情報量を情報量取得部１０４に対して通知する。これにより、情報量取得部１０４において端末種別に対応する情報量情報が取得され、情報収集制御部１０２に対して送られる。
【００４６】
次に、容量情報取得部１０５について説明する。容量情報取得部１０５に対しては、情報収集制御部１０２から基地局特定情報が送られ、基地局特定情報により特定される基地局装置（ＢＴＳ５０）による通信の容量に係る情報（容量情報）の取得が指示される。容量情報取得部１０５では、この基地局特定情報に基づいて容量情報管理サーバ４００に対して容量の問い合わせを行うことにより、容量情報管理サーバ４００から送信される容量情報が取得される。すなわち容量情報取得部１０５は、容量情報取得手段として機能する。
【００４７】
容量情報取得部１０５により問い合わせが行われる容量情報管理サーバ４００は、基地局特定情報により指定されるＢＴＳ５０により通信を行う場合に、輻輳を発生することなく通信を行うことができる容量情報を、基地局特定情報と対応付けて格納する装置である。容量情報管理サーバ４００において格納される容量情報とは、例えば、ＢＴＳ５０による最大呼処理能力、最大収容加入者数、最大同時接続数等の情報である。さらに、容量情報管理サーバ４００は、例えば、災害時やイベント発生時に特定のＢＴＳ５０の配下の通信端末６０に係る通信が集中した場合に、輻輳を回避するために通信量の規制を行うＴＣＳ（Traffic congestion Control System）としての機能を有する。また、容量情報取得部１０５からの基地局特定情報に基づいて、基地局特定情報に対応付けて格納されるＢＴＳ５０の容量を容量情報取得部１０５に対して送信する。これにより、容量情報取得部１０５において基地局特定情報に対応する容量情報が取得され、情報収集制御部１０２に対して送られる。
【００４８】
以上のように各部が機能することにより、情報収集制御部１０２では、端末情報取得部１０３から送られる端末情報と、情報量取得部１０４から送られる情報量情報と、容量情報取得部１０５から送られる容量情報と、が取得される。そして、情報収集制御部１０２では、これらの情報に基づいて、特定のＢＴＳ５０において通信量の増大による輻輳がおきないように、ＢＴＳ５０配下に在圏する通信端末６０から情報を収集するための送信タイミング情報を作成する。情報収集制御部１０２において作成される送信タイミング情報の例を図６に示す。図６に示す送信タイミング情報では、ＢＴＳ５０の配下に在圏する通信端末６０をその通信端末６０を特定する電話番号の下４桁を用いて５つのグループに分けられる。そして、それぞれのグループに属する通信端末６０が情報送信要求信号に基づいて情報収集制御システム１０に対して情報を送信するタイミング（情報送信タイミング）を、各グループに対応付けて指定している。具体的には、例えば下４桁が「４２２１」である電話番号により特定される通信端末６０は、グループ３に属することから、情報送信タイミングを情報送信要求信号の受信した時点から２分後とすることが示されている。なお、端末情報取得部１０３、情報量取得部１０４、及び容量情報取得部１０５から送られる情報に基づき、輻輳が発生する可能性を検討した結果、ＢＴＳ５０の配下に在圏する通信端末６０が一斉に情報送信をした場合であっても輻輳が発生しないと判断される場合には、送信タイミング情報が作成されないか、又は、ＢＴＳ５０の配下に在圏するすべての通信端末６０に対して同じ情報送信タイミングを指定した送信タイミング情報が作成される。
【００４９】
情報収集制御部１０２では、さらに、上記の送信タイミング情報を含む情報送信要求信号を作成する。この情報送信要求信号には、送信タイミング情報のほか、収集特定情報（基地局特定情報、収集情報種別、及び、端末種別）が含まれる。情報収集制御部１０２により作られた情報送信要求信号は送信要求配信部１０６に送られる。
【００５０】
なお、本実施形態では、情報収集制御部１０２は、上述のように情報収集制御手段として機能すると共に送信要求作成手段としても機能するが、情報収集制御手段としての機能と送信要求作成手段としての機能とがそれぞれ異なる機能部によって行われる態様であってもよい。この場合、例えば、入力部１０１により受信される収集情報特定情報が入力部１０１から情報収集制御手段と送信要求作成手段とにそれぞれ送られ、情報収集制御手段において、この情報を用いて送信タイミング情報の生成が行われた後にこの送信タイミング情報が送信要求手段に送られ、送信要求作成手段において、入力部１０１から送られた収集情報特定情報と情報収集制御手段から送られた送信タイミング情報とを用いて情報送信要求を作成することによって、本実施形態の情報収集制御部１０２と同じ処理が行われる。
【００５１】
送信要求配信部１０６は、情報収集制御部１０２から送られた情報送信要求信号を通信端末６０に対して配信する送信要求配信手段として機能する。具体的には、情報送信要求信号をＣＢＳ２０に対して送信することにより、情報送信要求信号に含まれる基地局特定情報により特定されるＢＴＳ５０の配下に在圏する通信端末６０に対して当該情報送信要求信号を一斉配信する指示を行う。
【００５２】
収集情報取得部１０７は、送信要求配信部１０６より通信端末６０に対して配信された情報送信要求信号に基づいて通信端末６０から送信される収集情報を取得する機能を有する。収集情報取得部１０７により収集情報が取得されることにより、情報収集装置１００により行われる情報収集に係る一連の処理が終了する。
【００５３】
図２に戻り、通信システム１に含まれる他の装置について説明する。ＣＢＳ２０は、情報収集制御システム１０に含まれる情報収集装置１００から送られる情報送信要求信号をＢＴＳ５０の配下に在圏する通信端末６０に対して送信する機能を有する。また、ＳＧＳＮ３０は、通信事業者Ｎの提供する移動体通信網Ｎ１に接続して通信を行う通信端末の位置管理、セキュリティ管理やアクセス制御を行う装置である。ＲＮＣ４０は、ＲＮＣ４０に接続する複数のＢＴＳ５０で行われる通信を制御する装置である。また、ＢＴＳ５０は、配下の通信端末６０との間で無線通信により情報を送受信する装置である。
【００５４】
ここで、図７を用いてＢＴＳ５０の構成を説明する。図７は、ＢＴＳ５０の構成を説明するブロック図である。図７に示すように、ＢＴＳ５０は、ＨＷＹ−ＩＮＴ（送信要求受信手段）５０１と、ＢＢ５０２と、ＡＭＰ（情報送信要求配信手段）５０３と、ＳＶ５０４と、端末数記憶部（端末数保持手段）５０５と、を含んで構成される。ＨＷＹ−ＩＮＴ５０１は、有線伝送路インターフェース部であり、ＲＮＣ４０との間で情報を送受信する機能を有する。また、ＢＢ５０２は、ベースバンド信号処理部である。そして、ＡＭＰ５０３は、送信増幅部であり、通信端末６０との間で情報の送受信を行う機能を有する。このＡＭＰ５０３から通信端末６０に対して送信される情報送信要求信号には、送信タイミング情報と、収集情報種別と、端末種別とが含まれる。ＳＶ５０４は、監視制御部であり、配下の通信端末６０とＢＴＳ５０との間で行われる位置登録処理の回数やトラフィック量等を測定し、ネットワークの状態等を監視する機能を有する。さらに、端末数記憶部５０５は、このＢＴＳ５０の配下に在圏する通信端末６０の数（端末数）を保持する機能を有する。端末数記憶部５０５において保持される端末数は、ＳＶ５０４により監視される位置登録処理の回数やトラフィック量等から求めることができる。また、端末数記憶部５０５から通信端末６０に対して応答信号を返すように指示する情報を送信し、通信端末６０からの応答信号の個数より端末数を算出する機能を備えてもよい。
【００５５】
次に、通信端末６０について図８を用いて説明する。通信端末６０は、通信部（受信手段、情報送信手段）６０１と、制御部（情報作成手段）６０２と、送信タイミング判断部（送信タイミング判断手段）６０３と、情報収集部（情報作成手段）６０４と、を含んで構成される。
【００５６】
通信部６０１は、ＢＴＳ５０から配信され、送信タイミング情報と、収集情報種別と、端末種別とが含まれる情報送信要求信号を受信すると共に、通信端末６０の保持する情報を情報収集制御システム１０に対して送信する機能を有する。通信部６０１により受信された情報送信要求信号は制御部６０２に送られる。
【００５７】
制御部６０２は、通信部６０１から送られた情報送信要求信号に含まれる情報のうち端末種別を参照することにより、自端末による情報収集が必要かを判断する。そして、自端末における情報収集が必要であると判断された場合には、情報送信要求信号に含まれる送信タイミング情報を送信タイミング判断部６０３に対して送信して、自端末からの情報送信タイミングの判断を指示する。さらに制御部６０２は、情報収集部６０４に対して収集情報種別を送信し、当該収集情報種別により特定される収集情報の収集を指示する。さらに、送信タイミング判断部６０３から送信される情報送信タイミングの判断結果と、情報収集部６０４から送信される収集情報に基づいて、通信部６０１に対して収集情報の送信を指示する機能を有する。
【００５８】
送信タイミング判断部６０３は、制御部６０２から送られる送信タイミング情報に基づいて、自端末からの情報送信タイミングの判断を行う機能を有する。具体的には、例えば情報収集制御システム１０から図６に示す送信タイミング情報が含まれる情報送信要求信号が送信された場合には、送信タイミング判断部６０３では、自端末の電話番号に基づいて自端末がどのグループに属するかが判断され、当該グループに対応付けられている情報送信タイミングが、自端末の情報送信タイミングとして制御部６０２に対して送られる。
【００５９】
情報収集部６０４は、制御部６０２から送られる収集情報種別に基づいて、自端末から情報収集制御システム１０に対して送信する収集情報を準備する機能を有する。例えば、情報送信要求信号に含まれる収集情報種別として「位置情報」が指定されていた場合には、情報収集部６０４により通信端末６０において保持される緯度・経度情報が収集され、制御部６０２に対して送られる。
【００６０】
本実施形態に係る通信システム１では、上述の各機能が発揮されることによって、本実施形態に係る情報収集処理が実現される。
【００６１】
（第１実施形態に係る通信システムによる情報収集方法）
次に、上述の通信システム１による情報収集方法について、図９及び図１０に示すシーケンス図を用いて説明する。なお、図９は、情報収集制御システム１０に含まれる情報収集装置１００、加入者情報管理サーバ２００、情報量管理サーバ３００、容量情報管理サーバ４００、ＢＴＳ５０及び通信端末６０により行われる処理を説明するシーケンス図であり、図１０は、通信端末６０により行われる処理をより詳細に説明するシーケンス図である。
【００６２】
まず、図９に示すように情報収集装置１００の入力部１０１において収集情報特定情報が受信される（Ｓ０１、情報受信ステップ）。ここで入力部１０１により取得される情報（収集情報特定情報）には、基地局特定情報と収集情報種別と端末種別とが含まれる。入力部１０１により取得されるこれらの情報は、情報収集制御部１０２に送られる。
【００６３】
次に、情報収集制御部１０２により、基地局特定情報は端末情報取得部１０３及び容量情報取得部１０５に送られると共に収集情報種別は情報量取得部１０４に送られる。これに基づいて、端末情報取得部１０３、情報量取得部１０４、及び容量情報取得部１０５においてそれぞれ以下に示す処理が行われる。
【００６４】
まず、端末情報取得部１０３では、基地局特定情報を用いて加入者情報管理サーバ２００に対して基地局特定情報により特定されるＢＴＳ５０の配下に在圏する通信端末６０の端末情報を問い合わせる（Ｓ０２、端末情報取得ステップ）。そして、加入者情報管理サーバ２００では、基地局特定情報に対応付けて格納されるＢＴＳ５０の配下に在圏する通信端末６０の情報を端末情報として端末情報取得部１０３に対して送信される（Ｓ０３、端末情報取得ステップ）。なお、ここで端末情報取得部１０３に対して送信される端末情報には、ＢＴＳ５０の配下に在圏する通信端末６０の数と、それぞれの通信端末６０の種別等が含まれる。端末情報取得部１０３では、上記の処理により、加入者情報管理サーバ２００から送信される端末情報が取得され、情報収集制御部１０２へ送られる。
【００６５】
次に、情報量取得部１０４では、収集情報種別を用いて情報量管理サーバ３００に対して収集情報種別により特定される情報が通信端末６０から送信される場合の情報量情報を問い合わせる（Ｓ０４、情報量取得ステップ）。そして、情報量管理サーバ３００では、収集情報種別に対応付けて格納される当該取得情報の情報量情報が情報量取得部１０４に対して送信される（Ｓ０５、情報量取得ステップ）。情報量取得部１０４では、上記の処理により、情報量管理サーバ３００から送信される情報量情報が取得され、情報収集制御部１０２へ送られる。
【００６６】
次に、容量情報取得部１０５では、基地局特定情報を用いて容量情報管理サーバ４００に対して基地局特定情報により特定されるＢＴＳ５０による通信の容量情報を問い合わせる（Ｓ０６、容量情報取得ステップ）。容量情報管理サーバ４００では、基地局特定情報に対応付けて格納されるＢＴＳ５０の容量情報が容量情報取得部１０５に対して送信される（Ｓ０７、容量情報取得ステップ）。容量情報取得部１０５では、上記の処理により、容量情報管理サーバ４００から送信される容量情報が取得され、情報収集制御部１０２へ送られる。
【００６７】
なお、上記の端末情報取得部１０３による処理（Ｓ０２、Ｓ０３）と、情報量取得部１０４による処理（Ｓ０４、Ｓ０５）と、容量情報取得部１０５による処理（Ｓ０６、Ｓ０７）と、が行われる順序は特に限定されない。すなわち、これらの処理は同時に並行して行われてもよい。ただし、これらの処理が全て行われた後に、次の処理へ進む。
【００６８】
続いて、情報収集制御部１０２では、端末情報取得部１０３から送信される端末情報と、情報量取得部１０４から送信される情報量情報と、容量情報取得部１０５から送信される容量情報と、を用いて、輻輳が発生するかの判断が行われる（Ｓ０８）。ここでは、上述のように、ＢＴＳ５０の配下の通信端末６０に対して情報送信要求信号を送信することで通信端末６０から一斉に収集情報が送信される場合に輻輳が発生する可能性を検討する。ここで、本実施形態のように端末種別が収集情報特定情報として取得されている場合には、端末種別に一致する通信端末６０の数がさらに用いられて、輻輳が発生するかの判断が行われる。この判断の結果、ＢＴＳ５０の配下に在圏する通信端末６０が一斉に収集情報を送信した場合に輻輳が発生すると判断される場合には、通信端末６０から送信される収集情報を輻輳が発生することなく受信することができるための送信タイミング情報が生成される（Ｓ０９、情報収集制御ステップ）。送信タイミング情報の生成方法としては、例えば、図６に示すように配下の通信端末６０を複数のグループに分け、グループ毎に異なる情報送信タイミングを指定する方法が挙げられる。なお、通信端末６０から収集情報が一斉に送信された場合に輻輳が発生されないと判断される場合には、次ステップの送信タイミング情報の生成（Ｓ０９）が中止されるか、すべての通信端末６０に対して同じタイミングを指定した送信タイミング情報が生成される。
【００６９】
続いて、情報収集制御部１０２では、この送信タイミング情報を含む情報送信要求信号の作成が行われる（Ｓ１０、送信要求作成ステップ）。この情報送信要求信号には、収集情報特定情報である収集情報種別、基地局特定情報、及び端末種別と、送信タイミング情報と、が含まれる。情報収集制御部１０２により作成された情報送信要求信号は、送信要求配信部１０６へ送られ、送信要求配信部１０６からＣＢＳ２０に対して送られる。そしてこの情報送信要求信号はＣＢＳ２０、ＳＧＳＮ３０、ＲＮＣ４０を経由して、基地局特定情報により特定されるＢＴＳ５０に対して送信される（Ｓ１１、送信要求配信ステップ）。そしてＢＴＳ５０から配下の通信端末６０に対して収集情報種別と、送信タイミング情報と、端末種別と、が含まれる情報送信要求信号の一斉配信が行われ（Ｓ１２、送信要求配信ステップ）、通信端末６０ではその情報送信要求信号が受信される。そして、通信端末６０において情報の収集に係る処理が行われ（Ｓ１３）、ＢＴＳ５０を介して収集情報を含む応答が情報収集制御システム１０に対して送信される（Ｓ１４）。
【００７０】
ここで、図１０を用いて通信端末６０における情報の収集に係る処理（Ｓ１３）を説明する。まず、通信部６０１では、ＢＴＳ５０から一斉配信された（図９のＳ１２）情報送信要求信号を受信する（Ｓ１０１）。そして、当該情報送信要求信号は、通信部６０１から制御部６０２に送られる（Ｓ１０２）。
【００７１】
制御部６０２では、通信部６０１からの情報送信要求信号に含まれる収集情報種別、送信タイミング情報及び端末種別のうち、端末種別を参照し、情報収集制御システム１０に対して自端末から収集情報を送信する必要があるかを判断する（Ｓ１０３）。ここで、例えば自端末の型式が端末種別において指定される型式と一致しない場合や、端末種別により指定される機能を自端末が有していない場合等は、制御部６０２において収集情報の送信は不要と判断され、以降の処理は中止される。しかしながら、自端末が端末種別により指定される端末であると判断される場合には次の処理が行われる。
【００７２】
すなわち、制御部６０２により情報送信要求信号に含まれる送信タイミング情報が送信タイミング判断部６０３に送られる（Ｓ１０４）。送信タイミング判断部６０３では、この送信タイミング情報を受け取ると、自端末が収集情報を送信すべきタイミングを決定する（Ｓ１０５）。具体的には、送信タイミング情報に含まれる情報から自端末の情報送信タイミングを特定することにより、情報送信タイミングが決定される。送信タイミング判断部６０３により決定された情報送信タイミングは送信タイミング判断部６０３から制御部６０２に送られる（Ｓ１０６）。
【００７３】
また、制御部６０２により情報送信要求信号に含まれる収集情報種別が情報収集部６０４に送られる（Ｓ１０７）。情報収集部６０４では、この収集情報種別により特定される情報を収集し（Ｓ１０８）、収集した情報が収集情報として制御部６０２に対して送られる（Ｓ１０９）。
【００７４】
なお、上記の情報送信タイミングの決定に係る処理（Ｓ１０４〜Ｓ１０６）と、情報収集に係る処理（Ｓ１０７〜Ｓ１０９）と、を行う順序は特に限定されず、例えば並行してこれらの処理を行ってもよい。
【００７５】
続いて、制御部６０２から通信部６０１に対して、上記の情報送信タイミングの決定に係る処理により決定された情報送信タイミングと、情報収集に係る処理により取得された収集情報と、が送られる（Ｓ１１０）。そして、通信部６０１により、制御部６０２から送られた情報送信タイミングにより指定されたタイミングに、収集情報が情報収集制御システム１０に対して送信される（Ｓ１１１）。以上の処理により、情報送信要求信号の受信に伴う情報の収集及び収集情報の送信に係る処理が終了する。そして、収集された情報は、図９に示すように、通信端末６０からＢＴＳ５０へ送信され（Ｓ１４）、各装置を経由して情報収集装置１００に対して送信され、情報収集装置１００の収集情報取得部１０７により取得される（Ｓ１５）。以上の処理によって情報収集装置１００では、収集情報種別により示された収集情報が受信され、情報収集に係る処理が終了する。
【００７６】
（第１実施形態に係る情報収集システム及び情報収集方法による効果）
次に、本実施形態に係る情報収集制御システム１０及び情報収集制御システム１０による情報収集処理の効果について説明する。
【００７７】
上記の情報収集制御システム１０による情報収集方法によれば、収集情報特定情報に含まれる基地局特定情報に基づいて、端末情報取得部１０３により端末情報が取得される。また、情報量取得部１０４により、収集情報種別に基づいた情報量情報が取得される。そして、容量情報取得部１０５により、基地局特定情報に基づいた容量情報が取得される。そして、これらの情報に基づいて、ＢＴＳ５０を介して通信を行う容量を超過しないタイミングが指定された送信タイミング情報が情報収集制御部１０２において生成され、当該送信タイミング情報が含まれる情報送信要求信号が通信端末６０に対して配信される。このように、一斉配信される情報送信要求信号に対してＢＴＳ５０の配下に在圏する通信端末６０が応答するタイミングをあらかじめ送信タイミング情報を用いて指定することで、配下の複数の通信端末６０が一斉返信することによる通信量の増大及び輻輳の誘発を抑制することができる。
【００７８】
また、情報収集制御部１０２において、送信タイミング情報の作成の要否が判断され、ネットワークの輻輳の可能性から、送信タイミング情報の作成が必要であると判断される場合に限って、送信タイミング情報が作成される。このような態様とすることで、例えば在圏する端末の個数が少なく、配下の通信端末から一斉に収集情報が送信されてもネットワークの輻輳が発生しないような場合には、送信タイミング情報の作成に係る処理を省略することができる。また、送信タイミング情報を排除した情報送信要求信号を通信端末６０に対して一斉配信することができるため、情報送信要求信号の情報量を小さくすることができる。
【００７９】
また、上記実施形態では、入力部１０１において端末種別が受信される。そして、情報収集システム２から送信される情報送信要求信号に端末種別が含められ、通信端末６０に対して一斉送信され、通信端末６０側で、自端末からの収集情報の送信の要否が判断され、必要であると判断される場合に限って、情報の収集及び送信が行われる。このような態様とすることで、情報送信要求信号は配下の通信端末６０に対して一斉配信されるものの、例えば、情報送信要求信号に含まれる収集情報種別により特定される情報を保持していない通信端末６０からは収集情報が送信されないため、不要な通信の発生を抑制することができ、ネットワークの輻輳の発生を抑制することができると共に、情報収集システムで２では効率的に情報の収集が行われる。
【００８０】
さらに、入力部１０１において端末種別が収集情報特定情報として受信される場合には、情報収集制御部１０２において、この端末種別を用いて送信タイミング情報の作成要否が判断されるため、送信タイミング情報の作成要否の判断がより高い精度で行われる。
【００８１】
＜第２実施形態＞
（第２実施形態に係る通信システムの構成）
続いて、本発明の好適な実施形態である第２実施形態について説明する。第２実施形態に係る通信システムが第１実施形態と異なる点は、以下の点である。すなわち、第１実施形態では、基地局特定情報により特定されるＢＴＳ５０の配下に在圏する通信端末に係る端末情報の取得と、ＢＴＳ５０の容量情報の取得と、は情報収集装置１００により行われ、これらの情報と、情報量情報とに基づいた送信タイミング情報の生成は、情報収集装置１００の情報収集制御部１０２により行われていた。しかしながら、第２実施形態では、端末情報の取得と、ＢＴＳ５０の容量情報の取得と、がＢＴＳ５０により行われ、ＢＴＳ５０において輻輳発生の有無に係る判断と、送信タイミング情報の生成が行われる。以下、第１実施形態と異なる点を中心に、第２実施形態に係る通信システムについて説明する。
【００８２】
図１１は、第２実施形態に係る情報収集制御システム１０（情報収集制御システム１０Ａ）の構成を説明する図である。図１１に示すように、第２実施形態に係る情報収集制御システム１０Ａには、第１実施形態に係る情報収集制御システム１０に含まれる各構成と比較して、情報収集装置１００Ａにおいては、端末情報取得部１０３及び容量情報取得部１０５が排除される。また、端末情報取得部１０３が端末情報を取得する対象であった情報量管理サーバ３００と、容量情報取得部１０５が容量情報を取得する対象であった容量情報管理サーバ４００と、についても情報収集制御システム１０Ａから排除される。
【００８３】
上記の情報収集制御システム１０Ａでは、入力部１０１により受信された収集情報特定情報に含まれる基地局特定情報、収集情報種別、端末種別のうち、情報収集制御部１０２によって用いられるのは収集情報種別のみである。具体的には、情報収集制御部１０２では、情報量取得部１０４に対して収集情報種別を送信することによって、収集情報種別に対応した情報量情報の取得が指示される。そして、この指示に基づいて、情報量取得部１０４において容量情報管理サーバ４００に対して問い合わせることにより情報量情報が取得され、情報量取得部１０４から情報収集制御部１０２に対して送信される。情報収集制御部１０２では情報量取得部１０４から送られる情報量情報を取得すると、基地局特定情報、収集情報種別、通信端末種別、及び、情報量情報を含む情報送信要求信号が作成される。
【００８４】
この情報送信要求信号は、送信要求配信部１０６からＣＢＳ２０に対して送信されることにより、情報収集システム２に含まれるＳＧＳＮ３０、ＲＮＣ４０を経由して基地局特定情報により特定されるＢＴＳ５０（ＢＴＳ５０Ａ）に対して送信される。すなわち、送信要求配信部１０６は、送信要求送信手段として機能する。
【００８５】
図１２は、第２実施形態に係るＢＴＳ５０Ａの構成を説明する図である。図１２に示すように、第２実施形態に係るＢＴＳ５０Ａでは、第１実施形態に係るＢＴＳ５０の構成を全て備えると共に、輻輳発生の有無に係る判断と、送信タイミング情報の生成を行う端末制御部（送信タイミング情報生成手段）５０６を備える。
【００８６】
第２実施形態に係るＢＴＳ５０Ａでは、ＨＷＹ−ＩＮＴ５０１において情報収集制御システム１０Ａから送信された情報送信要求信号が受信され、この情報送信要求信号がＳＶ５０４を介して端末制御部５０６へ送られる。
【００８７】
端末制御部５０６は、情報収集制御システム１０Ａからの情報送信要求信号の受信を契機として端末数記憶部５０５に対して端末数の情報を問い合わせることにより、自機の配下に在圏する通信端末６０の数に係る情報を取得する。
【００８８】
さらに、端末制御部５０６では、自機の容量に係る情報（容量情報）が保持される。そして、端末数記憶部５０５から送信される端末数と情報送信要求信号に含まれる情報量と、端末制御部５０６に保持される容量情報とに基づいて、情報送信要求信号を通信端末６０に対して一斉配信した場合に、その情報送信要求信号に対する通信端末６０からの応答によってネットワークの輻輳が発生する可能性を判断する。そして、ネットワークの輻輳が発生すると考えられる場合には、ネットワークの輻輳を回避するための送信タイミング情報を生成する。このように、端末制御部５０６は送信タイミング情報生成手段として機能する。端末制御部５０６により生成された送信タイミング情報は、情報送信要求信号と共にＡＭＰ５０３に対して送られ、ＡＭＰ５０３から通信端末６０に対して一斉配信される。すなわち、本実施形態に係る情報収集システム２において、ＢＴＳ５０のＡＭＰ５０３は、情報送信要求配信手段として機能する。なお、端末制御部５０６において、通信端末６０から収集情報が一斉に送信された場合に輻輳が発生されないと判断される場合には、送信タイミング情報の生成が中止されるか、すべての通信端末６０に対して同じタイミングを指定した送信タイミング情報が生成される。
【００８９】
（第２実施形態に係る通信システムによる情報収集方法）
次に、上述の第２実施形態に係る通信システム１による情報収集方法について、図１３に示すシーケンス図を用いて説明する。なお、通信端末６０における処理は、第１実施形態と同様であるので、その説明を省略する。
【００９０】
まず、図１３に示すように情報収集装置１００の入力部１０１において収集情報特定情報が受信される（Ｓ２１、情報受信ステップ）。ここで入力部１０１により取得される情報（収集情報特定情報）には、基地局特定情報と収集情報種別と端末種別とが含まれる。入力部１０１により受信されるこれらの情報は、情報収集制御部１０２に送られる。
【００９１】
次に、情報収集制御部１０２により、収集情報特定情報に含まれる収集情報種別が情報量取得部１０４に送られる。そして、情報量取得部１０４では、収集情報種別を用いて情報量管理サーバ３００に対して収集情報種別により特定される情報が通信端末６０から送信される場合の情報量情報を問い合わせる（Ｓ２２、情報量取得ステップ）。そして、情報量管理サーバ３００では、収集情報種別に対応付けて格納される当該取得情報の情報量情報が情報量取得部１０４に対して送信される（Ｓ２３、情報量取得ステップ）。情報量取得部１０４では、上記の処理により、情報量管理サーバ３００から送信される情報量情報が取得され、情報収集制御部１０２へ送られる。
【００９２】
情報収集制御部１０２では、情報量取得部１０４から送信される情報量情報と、収集情報特定情報に含まれる基地局特定情報、収集情報種別、及び端末種別と、を含む情報送信要求信号が作成される。そして、情報収集制御部１０２から送信要求配信部１０６に対してこの情報送信要求信号が送信され、送信要求配信部１０６からＣＢＳ２０に対して送信される（送信要求送信ステップ）。そしてこの情報送信要求信号はＣＢＳ２０、ＳＧＳＮ３０、ＲＮＣ４０を経由して、基地局特定情報により特定されるＢＴＳ５０に対して送信される（Ｓ２４、送信要求送信ステップ）。
【００９３】
ＢＴＳ５０Ａでは、ＨＷＹ−ＩＮＴ５０１において当該情報送信要求信号が受信され（送信要求受信ステップ）、ＳＶ５０４を介して端末制御部５０６へ送られる。そして端末制御部５０６によって、端末数記憶部５０５から自機の配下に在圏する通信端末６０の数を取得し、この端末数と情報送信要求信号に含まれる情報量情報とに基づいて、ネットワークが輻輳する可能性があるかを判断する（Ｓ２５）。そして、輻輳する可能性があると判断される場合には、送信タイミング情報が生成される（Ｓ２６、送信タイミング情報生成ステップ）。そして、通信端末６０に一斉配信するための送信タイミング情報が含まれた情報送信要求信号が作成され（Ｓ２７）、当該情報送信要求信号が端末制御部５０６からＳＶ５０４、ＨＷＹ−ＩＮＴ５０１、ＢＢ５０２を介してＡＭＰ５０３に送られる。そして、ＡＭＰ５０３から配下に在圏する通信端末６０に対して一斉配信される（Ｓ２８、情報送信要求配信ステップ）。これにより、通信端末６０に対して情報送信要求信号が一斉に配信される。
【００９４】
そして、通信端末６０では、第１実施形態に係る情報収集方法と同様の方法により収集情報が作成され（Ｓ２９）、送信タイミング情報により指定された情報送信タイミングにより、収集情報が通信端末６０から情報収集装置１００Ａへ送られ、情報収集装置１００Ａの収集情報取得部１０７により取得される（Ｓ３０，Ｓ３１）。これにより、情報収集装置１００Ａにおける情報収集に係る処理が終了する。
【００９５】
（第２実施形態に係る情報収集システム及び情報収集方法による効果）
次に、本実施形態に係る情報収集システム２及び情報収集システム２による情報収集処理方法の効果について説明する。
【００９６】
本実施形態に係る情報収集システム２による情報収集方法では、第１実施形態に係る情報収集方法では、情報収集装置１００において行われていた端末情報の及び容量情報の取得と、これらの情報を用いたネットワークの輻輳発生に係る判断及びこの判断結果に基づく送信タイミング情報の生成が、ＢＴＳ５０Ａにおいて行われる。したがって、ＢＴＳ５０Ａにおいて送信タイミング情報の生成を行わせる態様とすることで、情報収集装置１００における処理数を減らすことができる。また、自機の配下に在圏する通信端末６０の数の情報等は、従来からＢＴＳ５０Ａにおいて蓄積される情報であるので、当該情報を利用することでより効率的に送信タイミング情報の生成に係る処理が行われる。
【００９７】
＜情報収集システムの利用例＞
次に、第１実施形態または第２実施形態に係る情報収集システム及び情報収集方法の利用例を図１４を用いて説明する。
【００９８】
図１４は、上記実施形態に係る情報収集システム２を含む通信システム３の構成を示す図である。図１４に示すように、通信システム３に含まれる情報収集システム２は、情報収集システム２と同じ移動体通信網Ｎ１に含まれる災害伝言板システム７０と接続されて構成される。
【００９９】
災害伝言板システム７０とは、災害等が発生した際に災害発生地域に在圏する通信端末のユーザが通信端末を操作することによってユーザの被災状況を書き込み、第三者が当該伝言板システムを閲覧することにより、ユーザの被災状況等を確認することができるシステムとして従来運用されているシステムである。
【０１００】
通信端末８０は、通信端末６０と同じくユーザにより用いられる通信端末である。そして、通信端末６０と通信端末８０とは、例えば家族契約やグループ登録等によって、同じグループに属するグループ端末として情報収集システム２においてあらかじめ登録されている。
【０１０１】
このような通信システム３において、例えば地震の発生等により気象庁から発せられる「緊急地震速報」や、自治体から提供される緊急情報を、該当地域（例えば、被災地域）のＢＴＳ５０の配下に在圏する通信端末６０に配信する際に、情報収集システム２を利用して通信端末６０の収集情報種別として「位置情報」を指定した情報送信要求信号を併せて配信する。すると、通信端末６０は配信された緊急情報等を例えば画面に表示することによりユーザに通知すると共に、情報送信要求信号に対応して通信端末６０の位置情報を収集情報として情報収集システム２に対して送信する。これにより、情報収集システム２において通信端末６０の位置情報が取得される。
【０１０２】
情報収集システム２は、通信端末６０から取得された位置情報を災害伝言板システム７０に送信することにより、災害伝言板システム７０に通信端末６０の位置情報が書き込まれる。これにより、第三者が災害伝言板システム７０を検索することにより通信端末６０が被災地域に在圏するという情報を取得することができる。併せて、情報収集システム２では、通信端末６０から位置情報を取得した場合に、当該情報をグループ端末である通信端末８０に対して送信する態様とすることにより、通信端末６０のグループ端末である通信端末８０では、通信端末６０が被災地域に在圏するという情報が情報収集システム２から通知される。
【０１０３】
上記のように、第１実施形態又は第２実施形態に係る情報収集システム２を利用して通信端末６０から収集した情報は、災害伝言板システム７０と連携させることで被災状況の通知等に活用することができる。
【０１０４】
なお、第１実施形態に係る情報収集システム２を上記のように災害伝言板システム７０と連携して利用する場合、情報収集装置１００において取得される収集情報特定情報に含まれる基地局特定情報に基づいて、加入者情報管理サーバ２００から端末情報を取得する際に、端末情報として特定のＢＴＳ５０の配下に在圏する通信端末の一覧情報を取得し、当該情報を災害伝言板システム７０に送信して、「被災地域に在圏している可能性がある通信端末」として災害伝言板システム７０に書き込む態様とすることもできる。
【０１０５】
＜変形例＞
以上、本発明に係る好適な実施形態について説明したが、本発明に係る情報収集システム、情報収集装置、通信端末及び情報収集方法は、上記の実施形態に限定されるものではなく、種々の態様を取ることが可能である。
【０１０６】
例えば、上記実施形態では、送信タイミング情報として、ＢＴＳ５０の配下に在圏する通信端末を複数のグループに分けて、各グループに属する通信端末による情報送信タイミングを個別に指定する場合について説明した。しかし、送信タイミング情報として、上述のように時間幅を指定した送信タイミング情報を用いることもできる。この場合、通信端末６０において、時間幅の中から乱数処理等を用いて自端末から収集情報を送信するタイミングを決定して、当該タイミングに収集情報が通信端末６０から情報収集システム２に対して送信される。なお、この態様を用いる場合、収集情報の送信による通信量が大きい場合にはより広い時間幅を指定することが好ましい。
【０１０７】
また、第１実施形態と第２実施形態とは適宜組み合わせることができる。例えば第２実施形態では、加入者情報管理サーバ２００からの端末情報の取得は行われないが、第１実施形態と同様に加入者情報管理サーバ２００から端末情報を取得し、当該端末情報をＢＴＳ５０に送信することにより、ＢＴＳ５０におけるネットワーク輻輳に係る判断及び送信タイミング情報の生成の際に、当該端末情報を利用する態様とすることもできる。また、情報量情報、容量情報の双方を情報収集装置１００において取得し、これらをＢＴＳ５０に対して送信し、ＢＴＳ５０において保持される端末数情報と組み合わせてネットワーク輻輳に係る判断を行う態様としてもよい。
【０１０８】
なお、上記実施形態では、端末種別が収集情報特定情報に含まれる場合について説明したが、端末種別は収集情報特定情報に必ず含まれる情報ではない。すなわち、端末種別が収集情報特定情報に含まれない場合であっても、情報収集装置１００またはＢＴＳ５０において送信タイミング情報を生成することができ、ネットワークの輻輳を発生することなく、通信端末６０から情報を収集することができる。
【図面の簡単な説明】
【０１０９】
【図１】通信システムに含まれる情報収集システムと、当該情報収集システムにより情報を収集する対象となる通信端末との関係を示す図である。
【図２】通信システムに含まれる各装置の構成をより具体的に説明したブロック図である。
【図３】第１実施形態に係る情報収集制御システムの構成を説明するブロック図である。
【図４】情報収集装置、加入者情報管理サーバ、情報量管理サーバ、容量情報管理サーバ、ＣＢＳ、ＳＧＳＮ、ＲＮＣ、及びＢＴＳのハードウェア構成を示す図である。
【図５】通信端末のハードウェア構成を示す図である。
【図６】情報収集装置の情報収集制御部において作成される送信タイミング情報の例を示す図である。
【図７】第１実施形態に係る通信システムに含まれるＢＴＳの構成を説明するブロック図である。
【図８】第１実施形態に係る通信システムに含まれる通信端末の構成を説明するブロック図である。
【図９】第１実施形態に係る通信システムによる情報収集方法を説明するシーケンス図である。
【図１０】第１実施形態に係る通信システムに含まれる通信端末による情報収集方法を説明するシーケンス図である。
【図１１】第２実施形態に係る情報収集制御システムの構成を説明する図である。
【図１２】第２実施形態に係る通信システムに含まれるＢＴＳの構成を説明する図である。
【図１３】第２実施形態に係る通信システムによる情報収集方法を説明するシーケンス図である。
【図１４】第１及び第２実施形態に係る情報収集システムを含む通信システムの構成を示す図である。
【符号の説明】
【０１１０】
１，３…通信システム、２…情報収集システム、１０…情報収集制御システム、２０…ＣＢＳ、３０…ＳＧＳＮ、４０…ＲＮＣ、５０…ＢＴＳ、６０，８０…通信端末、７０…災害伝言板システム、１００…情報収集装置、２００…加入者情報管理サーバ、３００…情報量管理サーバ、４００…容量情報管理サーバ。
【図１】
2010118744.tif 000003
【図２】
2010118744.tif 000004
【図３】
2010118744.tif 000005
【図４】
2010118744.tif 000006
【図５】
2010118744.tif 000007
【図６】
2010118744.tif 000008
【図７】
2010118744.tif 000009
【図８】
2010118744.tif 000010
【図９】
2010118744.tif 000011
【図１０】
2010118744.tif 000012
【図１１】
2010118744.tif 000013
【図１２】
2010118744.tif 000014
【図１３】
2010118744.tif 000015
【図１４】
2010118744.tif 000016